(57)【要約】【課題】発呼と着呼の衝突による不都合を回避し、且つ受信処理、送信処理に手間を要することなく、実行し得る通信装置を提供する。【解決手段】発呼による送信要求があると（ＳＴ２）、回線を捕捉し（ＳＴ３）、回線よりのダイヤルトーンの有無を検出する（ＳＴ４）。ダイヤルトーンを検出しない場合に、更にＣＮＧ信号の有無を検出する（ＳＴ５）。ＣＮＧ信号検出の場合には、着呼有りと判定し、受信要求をセットし、送信要求をリダイヤルする（ＳＴ８）。ここで、受信要求有りと判断し（ＳＴ１）、受信処理を優先する（ＳＴ９）。受信処理終了後に、最初の発呼による再送信要求でダイヤルし（ＳＴ６）、送信処理を行う（ＳＴ７）。【選択図】　　　図２
2004112365.tif 000002
【特許請求の範囲】
【請求項１】
回線に向けて発呼を行う発呼手段と、発呼による回線閉結時に、ダイヤルトーンの有無を検出するダイヤルトーン検出手段と、ＣＮＧ（コーリングトーン）信号を検出する手段と、ダイヤルトーンを検出せずに、ＣＮＧ信号を検出したときに受信処理を優先処理する手段と、前記受信処理の終了時に、前記発呼に係る送信処理を実行する手段とを備えたことを特徴とする通信装置。
【請求項２】
ダイヤルトーン検出手段と、ＣＮＧ（コーリングトーン）信号検出手段とを備え、発呼による回線閉結時に、ダイヤルトーンを検出せずに、ＣＮＧ信号を検出したときに、着呼による受信処理を優先処理し、この受信処理の終了で、前記発呼に係る送信処理を実行することを特徴とする通信装置の発着信制御方法。
【発明の詳細な説明】
【０００１】
【発明の属する技術分野】
このファクシミリ装置などの、特に着信と発信が衝突した場合の処理に特徴を有する通信装置及び通信装置の発着信制御方法に関する。
【０００２】
【従来の技術】
一般にファクシミリ装置等において、送信すべき相手方に発呼（発信）した場合に、たまたま自装置に対しての着呼（着信）があり、発呼と着呼が衝突する場合がある。この場合、送信処理も受信処理も行われない。このような不具合を解消するために、発呼時に、着呼を検出すると、着呼を優先処理するようにしたものがある。この技術は、具体的には発呼に際し、回線からの発信者を検出しないと、ＣＮＧ検出手段でコーリングトーンを検出し、優先的に受信モードに入るようにしている（例えば、特許文献１参照）。
【０００３】
【特許文献１】
特開平１−３０３８５５号公報
【０００４】
【発明が解決しようとする課題】
上記した特許文献１に記載の技術では、発呼と着呼が衝突した場合には、着呼による受信処理を優先するので、発呼と着呼の衝突により何も処理が進行しないという不具合が解消されたが、着呼による受信処理の後に、予定の発信を行いたい場合に、再発呼の入力をしなければならない、という面倒さが残されていた。
【０００５】
この発明は上記問題点に着目してなされたものであって、発呼と着呼の衝突による不都合を回避し、且つ受信処理、送信処理を手間を要することなく実行し得る通信装置を提供することを目的としている。
【０００６】
【課題を解決するための手段】
この発明の通信装置は、回線に向けて発呼を行う発呼手段と、発呼による回線閉結時に、ダイヤルトーンの有無を検出するダイヤルトーン検出手段と、ＣＮＧ（コーリングトーン）信号を検出する手段と、ダイヤルトーンを検出せずに、ＣＮＧ信号を検出したときに受信処理を優先処理する手段と、前記受信処理の終了時に、前記発呼に係る送信処理を実行する手段とを備えている。
【０００７】
この通信装置では、発呼手段による発呼を行うと回線閉結され、電話回線からのダイヤルトーンの有無を検出する。ここでダイヤルトーンが検出されずに、ＣＮＧ信号が検出されると、着呼が有りとなり、発呼と着呼が衝突していることになる。着呼有りの判定に基づいて、受信処理を優先処理する。受信処理終了時に、発呼による送信処理を自動的に実行する。この通信装置で発呼と着呼の衝突が生じても、何の手間をわずらわせることなく、着呼と発呼に係る通信処理を行うことができる。
【０００８】
【発明の実施の形態】
以下、実施の形態により、この発明をさらに詳細に説明する。図１は、この発明の一実施形態ファクシミリ装置の構成を示すブロック図である。
【０００９】
この実施形態ファクシミリ装置は、図１に示すように、ＮＣＵ１と、ＭＯＤＥＭ２と、ＲＯＭ３と、ＲＡＭ４と、画像メモリ５と、ＭＰＵ６と、表示部７と、操作部８と、画像読取部９と、ＣＯＤＥＣ１０と、プリンタ１１と、バス１２とを備えている。
【００１０】
ＮＣＵ１は、電話回線１３との接続を制御するとともに、相手先の電話番号（＝対応したダイヤル信号）の送出機能、及び着信を検出するための機能を備えている。また、ＮＣＵ１はダイヤルトーン、ＣＮＧ（コーリングトーン）信号等を電話回線１３より受信する。モデム２は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。ＲＯＭ３は装置全体を制御するためのプログラムを記憶する。ＲＡＭ４は、ファクシミリ装置に関する各種情報を一時的に記憶する。画像メモリ５は受信画像データや画像読み取り部９で読み取られた画像データを一時的に記憶する。ＭＰＵ６は、ＲＯＭ３に記憶されたプログラムに従い、装置を構成する各部を制御する。表示部７は装置の動作状態等の各種情報、転送時間帯表示等の表示を行う。操作部８はテンキー、ワンタッチキー、スタートキー、その他のキーで構成される。画像読取部９は原稿上の画像データを読み取って、白黒２値のイメージデータを出力する。ＣＯＤＥＣ１０は、送信すべき画データを符号化し、また受信した画データを復号する。プリンタ１１は、電子写真式のプリンタよりなり、受信画像データやコピー動作において、画像読取部９で読み取られた原稿の画像データを記録紙上に記録する。もっとも、ここに示す実施形態ファクシミリ装置のハード構成は、特に新規なものではなく、各回路構成自体は、既によく知られたものである。この実施形態ファクシミリ装置の新規な特徴事項は、後述するように、発呼と着呼が衝突した場合の処理方法にある。
【００１１】
次に、この実施形態ファクシミリ装置の通信動作を、図２に示すフロー図を参照して説明する。動作が開始すると、ステップＳＴ１において、先ず受信要求有りか否かを判定する。ここでは、後述するステップＳＴ８での受信要求セットがなされている場合において、このルーチンに入った来た場合に、受信要求有りの判定で、ステップＳＴ９へ移行する。一方、受信要求無しの場合は、ステップＳＴ２へ移行する。ステップＳＴ９においては、着呼により送られて来たデータの受信処理を行う。
【００１２】
ステップＳＴ２においては、送信要求有りか否か判定する。例えば、ワンタッチキーが押下された場合、送信時刻指定の送信データが記憶されており、その指定時刻に達して、ＭＰＵ６より送信指令が出た場合、などに送信要求有りとなる。送信要求有りの場合は、ステップＳＴ３へ移行する。一方、送信要求無しの場合は、ステップＳＴ１へ戻る。
【００１３】
ステップＳＴ３においては、回線捕捉、つまり回線閉結を行う。そして、ステップＳＴ４へ移行する。ステップＳＴ４においては、ダイヤルトーン検出か否か判定する。電話回線からの着呼などが無い場合は、ダイヤルトーンが聞こえるので、これが検出され、ステップＳＴ６へ移行する。一方、ダイヤルトーンが検出されなければ、ステップＳＴ５へ移行する。
【００１４】
ステップＳＴ５においては、ＧＮＧ（コーリングトーン）信号を検出したか否かを判定する。ＣＮＧ信号検出の場合は、ステップＳＴ８へ移行する。一方、ＣＮＧ信号を検出しない場合は、ステップＳＴ６へ移行する。ステップＳＴ４でダイヤルトーン非検出、ステップＳＴ５でＣＮＧ信号検出の場合は、発呼時に着呼があったことを意味する。そのため、ステップＳＴ８においては、現状で送信が起動されているので、受信要求をセットする（受信処理を優先する）とともに、送信要求をリダイヤルする。送信要求（送信コマンド）は、実行キューに展開させて、実行待ちはウエイティング（ｗａｉｔｉｎｇ）状態となり、実行中は、イクスキュート（Ｅｘｃｕｔｅ）状態になっている。ここでの送信要求のリダイヤルは、ウエイティング状態に戻すことである。ステップＳＴ８の処理後、処理を終了する。その後、ステップＳＴ１へ戻るが、ステップＳＴ１の受信要求有りかの判定（メインプログラムの中で、受信要求がセットされているか否かの確認）は、ステップＳＴ８の受信要求セットに応じてＹＥＳとなり、ステップＳＴ９へ移行し、受信処理を優先して、実行する。
【００１５】
受信処理が終了して、ステップＳＴ１へ戻ると、以後は、ステップＳＴ１において、受信要求かの判定ＮＯ、ステップＳＴ２では、ステップＳＴ８の送信要求リダイヤルにより、送信要求かの判定ＹＥＳ、更にステップＳＴ３で、回線補足する。続いて、ステップＳＴ４でのダイヤルトーン検出かの判定ＹＥＳで、ステップＳＴ６へ移行する。ステップＳＴ６において、ダイヤルインし、次にステップＳＴ７へ移行し、発呼に係る送信処理を行う。
【００１６】
発呼時に着呼がない場合、つまり通常の場合には、上記と同様に、ステップＳＴ１の判定ＮＯ、ステップＳＴ２の送信要求かの判定ＹＥＳ、ステップＳＴ３の回線閉　を経て、ステップＳＴ４でのダイヤルトーン検出かの判定ＹＥＳ、を経て、ステップＳＴ６でダイヤル、最後にステップＳＴ７にて送信処理を行う。
【００１７】
【発明の効果】
この発明によれば、回線に向けて発呼を行う発呼手段と、発呼による回線閉結時に、ダイヤルトーンの有無を検出するダイヤルトーン検出する手段と、ＣＮＧ（コーリングトーン）信号を検出する終了と、ダイヤルトーンを検出せずに、ＣＮＧ信号を検出したときに受信処理を優先処理する手段と、前記受信処理の終了時に、前記発呼に係る送信処理を実行する手段とを備えており、発呼と着呼が衝突しても、受信処理を優先し、続いて送信処理も自動的に行うので、発呼と着呼が衝突しても、オペレータは手間を要することなく、着信と送信を行うことができる。
【図面の簡単な説明】
【図１】この発明の一実施形態ファクシミリ装置の構成を示すブロック図である。
【図２】同実施形態ファクシミリ装置の通信処理動作を説明するためのフロー図である。
【符号の説明】
１　　　　ＮＣＵ
２　　　　ＭＯＤＥＭ
３　　　　ＲＯＭ
４　　　　ＲＡＭ
５　　　　画像メモリ
６　　　　ＭＰＵ
７　　　　表示部
８　　　　操作部
９　　　　画像読取部
１０　　　ＣＯＤＥＣ
１１　　　プリンタ
１２　　　バス
１３　　　電話回線
【図１】
2004112365.tif 000003
【図２】
2004112365.tif 000004